(57)【要約】【課題】  多様な商品または物品を収納することができ、商品を販売するための展示場などに展示される時に審美感を増大させて消費者の購買意欲を増大させることができる箱アセンブリを提供すること、及び商品が収納された状態で直ちに包装に利用されるようにして包装の便利性を提供する箱アセンブリを提供すること。【解決手段】  上記のような課題を達成するための本発明は、外側に壁面が設けられて内部に品物を収容できる収納空間が備えられ、前記壁面に少なくとも１つ以上の固定部が設けられた収納部と、前記収納部に設けられた固定部に嵌合し、外側に壁面が設けられて内部に品物を収容できる収納空間が備えられたまた別の収納部と、を含む箱アセンブリを提供する。【選択図】  図２
2004161379.tif 000002
【特許請求の範囲】
【請求項１】
外側に壁面が設けられて内部に品物を収容できる収納空間が備えられ、前記壁面に少なくとも１つ以上の固定部が設けられた収納部と、
前記収納部に設けられた固定部に嵌合し、外側に壁面が設けられて内部に品物を収容できる収納空間が備えられたまた別の収納部と、を含む箱アセンブリ。
【請求項２】
外側に壁面が設けられて内部に品物を収容できる収納空間が備えられ、前記壁面の上部に少なくとも１つ以上の固定部が設けられた収納部と、
外側に壁面が設けられて内部に品物を収容できる収納空間が備えられ、前記収納部の固定部に外側の壁面に設けられた下部角部分が嵌合されるまた別の収納部と、を含む箱アセンブリ。
【請求項３】
外側に壁面が設けられて内部に品物を収容できる収納空間が備えられ、前記壁面の上部に少なくとも１つ以上の固定部が設けられた収納部と、
外側に壁面が設けられて内部に品物を収容できる収納空間が備えられ、前記収納部の固定部に、外側の壁面に設けられた下部端部分が嵌合されるまた別の収納部と、を含む箱アセンブリ。
【請求項４】
外側に壁面が設けられて内部に品物を収容できる収納空間が備えられ、前記壁面の角部分に少なくとも１つ以上の固定部が設けられた収納部と、
外側に壁面が設けられて内部に品物を収容できる収納空間が備えられ、前記収納部の固定部に、外側の壁面に設けられた角部分が嵌合されるまた別の収納部と、を含む箱アセンブリ。
【請求項５】
前記収納部は、多角形、円形または楕円柱体中のいずれか一つからなる、請求項１ないし請求項４の内のいずれか一項に記載の箱アセンブリ。
【請求項６】
前記固定部は、固定溝または固定突出部からなる、請求項１ないし請求項４の内のいずれか一項に記載の箱アセンブリ。
【請求項７】
前記固定部が設けられた収納部に、前記固定部にまた別の固定部が設けられた収納部が順次積層される、請求項１ないし請求項４の内のいずれか一項に記載の箱アセンブリ。
【請求項８】
前記固定部が設けられた収納部に、隣接する側面に並列にまた別の固定部が設けられた収納部が備えられた、請求項１ないし請求項４の内のいずれか一項に記載の箱アセンブリ。
【請求項９】
前記固定部は、底面から一定の高さを有する位置に配置されるかまたは底面まで延長された位置に設けられる、請求項１ないし請求項４の内のいずれか一項に記載の箱アセンブリ。
【請求項１０】
前記固定部が設けられた収納部は、その上側に配置されるまた別の収納部に比べてさらに大きくしてなる、請求項１ないし請求項４の内のいずれか一項に記載の箱アセンブリ。
【請求項１１】
前記固定部が設けられた収納部は、その上側に配置されるまた別の収納部と同一のサイズからなる、請求項１ないし請求項４の内のいずれか一項に記載の箱アセンブリ。
【請求項１２】
前記収納部を被せる蓋が備えられ、前記蓋に前記収納部の角部分を嵌合して固定する固定溝が備えられたことを特徴とする、請求項１ないし請求項４の内のいずれか一項に記載の箱アセンブリ。
【請求項１３】
外側に壁面が設けられて内部に品物を収容できる収納空間が備えられた収納部と、
前記収納部内に収容され、外側に壁面が設けられて内部に品物を収容できる収納空間が備えられ、前記壁面に少なくとも１つ以上の固定部が設けられたトレーと、
前記トレーの固定部に嵌合し、外側に壁面が設けられて内部に品物を収容できる収納空間が備えられたまた別の収納部と、を含む箱アセンブリ。
【請求項１４】
外側に壁面が設けられて内部に品物を収容できる収納空間が備えられ、前記壁面に少なくとも１つ以上の固定部が設けられた収納部と、
前記収納部に設けられた固定部に嵌合される棚と、を含む箱アセンブリ。
【請求項１５】
前記棚に前記収納部の固定部に嵌合する固定突起が形成されたことを特徴とする、請求項１４に記載の箱アセンブリ。
【請求項１６】
前記収納部の固定部が深さの互いに違う複数の固定溝からなり、前記固定溝にそれぞれ棚が嵌め込まれて多層構造を形成することを特徴とする、請求項１５に記載の箱アセンブリ。
【請求項１７】
外側に壁面が設けられて内部に品物を収容できる収納空間が備えられた収納部と、
前記収納部に収容されて固定され、少なくとも一つ以上の固定部が形成された支持フレームと、
前記支持フレームの固定部に嵌合され、外側に壁面が提供されて内部に品物が収容できる収納空間が備えられたまた別の収納部と、を含む箱アセンブリ。
【発明の詳細な説明】
【技術分野】
【０００１】
本発明は箱アセンブリに関し、より詳しくは、収納などに使用されることができ、商品または品物の展示及び包装が可能な箱アセンブリに関する。
【背景技術】
【０００２】
一般に、包装箱は上、下側の箱を備えており、その内部に商品または製品などの品物が収納されて包装がなされる。このような一般的な包装箱は多様な商品を同時に収納しながら売場などで商品を展示する時に審美感を増大させて消費者の購買意欲を増大させることが必要であるが、このような要求に充分に対応することができない問題点がある。
【発明の開示】
【発明が解決しようとする課題】
【０００３】
本発明の目的は、多様な商品または物品を収納することができ、商品を販売するための展示場などに展示される時に審美感を増大させて消費者の購買意欲を増大させることができる箱アセンブリを提供することである。
【０００４】
さらに、本発明の目的は、商品が収納された状態で直ちに包装に利用されるようにして包装の便利性を提供する箱アセンブリを提供することである。
【課題を解決するための手段】
【０００５】
上記のような目的を達成するための本発明は、外側に壁面が設けられて内部に品物を収容できる収納空間が備えられ、前記壁面に少なくとも１つ以上の固定部が設けられた収納部と、前記収納部に設けられた固定部に嵌合し、外側に壁面が設けられて内部に品物を収容できる収納空間が備えられたまた別の収納部と、を含む箱アセンブリを提供する。
【０００６】
このような構造を有する本発明は、下部に配置されて固定部を備えた収納部にまた別の固定部を備えた収納部を積層し、前記積層されたまた別の収納部にさらに別の収納部を積層することができる。従ってそれぞれの収納部の空間に販売しようとする商品などの品物を収納して展示することができ、展示された状態で蓋などを利用して容易に包装ができる。このような本発明は、各収納部に互いに違う種類の品物を収納することが可能であり、商品を展示する場合には審美感を向上させて消費者の購買意欲を増大させることができる。さらに、単に本発明の箱に蓋を覆い被せることによって簡単に包装することができるのである。
【発明の効果】
【０００７】
本発明により、それぞれの収納部に互いに違う品物または商品などを収納することができ、商品を販売するために展示する場合には順次積層された複数の収納部や、棚あるいはトレーが造形的な美しさを有することができて消費者の購買欲求を増大させることができる効果を有することができる。さらに、本発明の箱アセンブリに蓋を被せることによって製品などの包装を便利にできる効果がある。
【発明を実施するための最良の形態】
【０００８】
以下、本発明の実施形態を添付図によって詳述する。
【０００９】
図１は本発明による第１実施形態を説明するための分解斜視図であり、図２は図１を結合した状態を示した図面であり、最下部に配置される第１収納部１、第１収納部１の上側に配置される第２収納部３、第２収納部３の上側に配置される第３収納部５及び第１収納部１、第２収納部３、第３収納部５を覆い被せるようにして第１収納部１に抑止嵌合される蓋７を示している。
【００１０】
本発明は複数の収納部１、３、５を積層して収納部１、３、５とこれら収納部に入れられる商品が調和をなすようにして展示効果を極大化させる手段を提供する。
【００１１】
本発明の第１実施形態では複数の収納部を積層するための手段として、一つの収納部１の壁面上部と別の収納部３の下部の角部分を利用した固定方式を表している。即ち、第１収納部１は内部に品物（ｔ）を収納することができる収納空間１ａを設けるために収納空間１ａの外側を壁面１１で取り囲むものである。そして壁面１１の上部に第２収納部３の下部角部分を嵌め込むことのできる固定溝１１ａを設けて第１収納部１と第２収納部３とが積層される時に一定の角度だけずれる状態で結合されるようにしている。固定溝１１ａは壁面１１すべてに設けることもでき、必要によって一部の壁面１１にだけ設けることもでき、収納部１の底面から一定距離を離して形成できる。
【００１２】
固定溝１１ａは下部に配置される第１収納部１に第２収納部３を嵌合して固定するための固定部であって図面では固定溝１１ａを示して説明しているが、これに限定されるものではなく、固定突起または突出部などによってなすことも可能である。これは紙材質で製作される場合より木または合成樹脂材などで製作する場合、商品の種類によって非常に有用である場合がある。特に、固定部が固定突起または固定突出部などによってなる場合には固定部に嵌め込まれるまた別の収納部に対応する固定溝を設けることができる。これは後述する他の実施形態でも同じように適用できる。
【００１３】
第２収納部３は第１収納部１と同一の形態を有し、ただサイズが小さいものとしてなすことができる。本発明の第１実施形態では第２収納部３が第１収納部に比べて小さな形態からなり、第１収納部１の底面から一定の高さだけ離れるように配置される構造を図示して説明しているが、後述する他の実施形態では同じサイズまたは他の形状からなる場合を説明する。
【００１４】
即ち、第２収納部３は内部にまた別の種類の品物（ｔ）を収納することができる収納空間３ａが備えられ、収納空間３ａをなすように複数の壁面３１が設けられる。そして壁面３１は第３収納部５が嵌合されうるまた別の固定溝３１ａを備えることができる。
【００１５】
第３収納部５は第２収納部３と同一の形態を有しそのサイズを小さくなすことができる。第３収納部５は外側に壁面５１を備えてまた別の種類の品物（ｔ）が収納されうる空間５ａが備えられる。第３収納部５が最上層に配置されない場合には壁面５１にまた別の収納部（図示なし）を嵌め込むことができる固定溝５１ａを設けることができる。しかし第３収納部５が最上層に配置される場合には壁面５１に別途の固定溝５１ａが設けられなくとも差し支えない。
【００１６】
蓋７は第１収納部１の外側に嵌合されるものであり、第１収納部１、第２収納部３、第３収納部５を被せたり覆った状態で包装がなされるようにするものである。蓋７は通常のボックスの上側の箱のように使用されることもでき、その他形態の包装が適用されることが可能である。
【００１７】
このようになされる本発明は、第１収納部１の収納空間１ａに品物（ｔ）が収納された状態で第２収納部３が第１収納部１の壁面１１に設けられた固定溝１１ａに挿入されるようにする。そのようにして第１収納部１と第２収納部３とが結合し、第２収納部３の収納空間３ａにまた別の種類の品物（ｔ）が収容されるようにした後、第３収納部５が第２収納部３の壁面３１に設けられた固定溝３１ａに挿入されるようにする。そのようにして第１収納部１、第２収納部３、第３収納部５が結合される。そして第３収納部５の収納空間にまた別の品物（ｔ）が収納されるようにする。このような状態で商品陳列台などで展示が可能になる。そして蓋７を第１収納部１、第２収納部３、第３収納部５が覆われるように被せた後、蓋７を第１収納部１の外側に嵌合によって固定する。そのようにして包装箱としての機能を有するようになるのである。
【００１８】
一方で第１収納部１、第２収納部３、第３収納部５は互いに嵌め込まれて積層して結合された状態で互いに違う種類の品物を収納することができる収納ケースとして使用することができる。このような収納ケースとして使用される用途は包装箱としての機能だけではなく硝子または合成樹脂材から製作して互いに違う種類の魚を分離して収容することができる金魚鉢などに使用することができ、互いに違う種類の小銭を保管するものとして使用することができるなどその使用範囲には制限がない。そして本発明は、通常の包装箱として機能を浮き出させるために紙材質などで実現することができる。
【００１９】
第１実施形態では第１収納部１、第２収納部３、第３収納部５を備えた例を図示して説明しているが、これに限定されるものではなく、第１収納部１と第２収納部３のような結合形態が反復してなされ、複数の収納部が積層される形態としてなされることが可能である。
【００２０】
図３は本発明による第２実施形態を説明するための分解斜視図であり、図４は図３の結合状態を示した図面であり、第１収納部１、第２収納部３、第３収納部５及び蓋７を示している。第２実施形態をはじめとして後述する実施形態では第１実施形態と同一の部分は同一の符号を付与して説明する。
【００２１】
第１実施形態では壁面１１、３１に設けられた固定溝１１ａ、３１ａが底面を基準として一定の高さに位置した形態からなる例を図示して説明しているが、本発明の第２実施形態では壁面１１、３１に設けられた固定溝１１ａ、３１ａが底面まで形成された構成が第１実施形態と違う点である。このような第２実施形態は本発明の構成を多様にすることができ、適用される製品または物品などによって多様な適用が可能であることを表すものである。本発明の第２実施形態は上述した第１実施形態と作用効果は同一である。もちろん本発明の第２実施形態でも第１実施形態で説明したものと同じく上述した固定溝１１ａ、３１ａによってなる固定部を備えて収納部が積層される構造を図示して説明しているが、これに限定されるものではなく、固定部が固定突出部または固定突起などからなることも可能である。
【００２２】
図５は本発明による第３実施形態を説明するために示した分解斜視図で、図６は図５に示した箱アセンブリが結合された状態を示した図面で、第１収納部１、第２収納部３、第３収納部５を示している。上述した第１実施形態では第１収納部１、第２収納部３、第３収納部５がだんだん小さくなるサイズからなる例を図示して説明したが、本発明の第３実施形態は第１収納部１、第２収納部３、第３収納部５が同一のサイズからなる例を説明するものであり、上述した第１実施形態と作用及び効果は同一である。このように第３実施形態はそのサイズに限定されずに多様な製品または品物などを収容することができるのである。
【００２３】
図７ないし図２１は本発明によるまた別の実施形態を示す平面図である。このような図７ないし図２１に示した他の実施形態は収納部の平面図の形状が三角形、菱形、楕円形、長方形、五角形、六角形などその形状を異にしながら本発明の目的及び効果を達成することができるのである。このような実施形態は適用される製品によって選択されることができ、さらに多様なデザインを通じて審美感を増大させることができ、図示したものに限定されずに多様な形態で実現することができるのである。
【００２４】
特に、図８は下部に配置される収納部１の壁面上部に固定溝を有する固定部が備えられ、その上部に配置される収納部３の下部端部分が固定部に嵌合される例を示している。
【００２５】
さらに、図９は下部に配置される収納部１に配置される頂点部分に固定溝を有する固定部が備えられ、その上部に配置される収納部３の下部に配置される角部分が固定部に嵌合される例を示している。
【００２６】
そして、図１０は楕円柱体の収納部が積層される例を図示しているものであって、楕円形からなる収納部１の壁面に固定溝からなる固定部を設けて、また別の楕円形からなる収納部３の壁面が固定溝に嵌合される例を示すものである。このような他の実施形態においても固定部は固定溝に限定されるものではなく、収納部１、３、５に収納される製品の種類によって固定突出部または固定突起などからなることが可能である。
【００２７】
一方、図２１は収納部１の壁体厚さが薄くて、壁体に固定溝を形成させることが難しい場合に、固定溝を形成させた別途の支持フレーム１７を収納部１に嵌め込み式または接着式で固定させ、前記支持フレーム１７の固定溝に他の収納部３を嵌めて固定させる構造を示したものである。
【００２８】
さらに、本発明のまた別の実施形態で上述した実施形態が組合されて収納部が積層されて結合されることもできる。
【００２９】
図２２は、本発明によるまた別の実施形態を説明するための平面図であり、複数に積層される収納部が並列に配置される構造を示している。即ち、下部に配置される収納部は複数の収納部を有する多角形柱体からなり、その上に積層されるまた別の多角形柱体が上述した実施形態と同じく積層される構造を有するものである。このような実施形態は第１、２、３実施形態のまた別の形態を示すもので、さらに多様な形態を有することができて製品を展示する時に審美感を増大させることができるのである。そしてこのような実施形態は上述した実施形態と同じく作用及び効果は同一である。
【００３０】
図２３は、本発明の第４実施形態を示したものであり、長方形の形状をなしながら所定厚さを有する第１収納部１と、この第１収納部１より相対的に小さなサイズを有し菱形状をなす第２収納部３及び、第１収納部１、第２収納部３を覆うことができるサイズを有し長方形の形状をなす蓋７を備えた箱アセンブリが示されている。第１収納部１の互いに対向する壁面の上部に固定溝１１ａからなる固定部が備えられ、蓋が第１収納部１上に被せられた時に第１収納部の固定溝１１ａに対向する固定溝７ａが蓋の壁面上部にも形成されている。
【００３１】
従って、第１収納部１の両側固定溝１１ａに第２収納部３の両側角の下部を着脱可能に嵌め込んで固定することができ、蓋７が第１収納部１に被せられれば蓋７の両側固定溝７ａにも第２収納部３の角上部が嵌め込まれて固定するようになる。
【００３２】
図２４は本発明の第５実施形態を示したものであり、第１収納部１の壁体厚さが薄くて固定溝を形成させにくい場合に、第１収納部１内に収納されるトレー９の４辺を延長してその延長部に固定溝９ａを形成したものである。
【００３３】
従って、トレー９の固定溝９ａに第２収納部３を積層して多層箱構造を形成することができるようになり、第２収納部３内に収納されるトレー（図示なし）にも同じように固定溝を形成すれば第３収納部（図示なし）を積層することができる事はもちろんである。
【００３４】
図２５ないし図２８は、それぞれ本発明の第６実施形態を示したものであり、図２５と図２６には第１収納部１の固定溝１１ａに厚さの薄い棚１５が嵌め込まれて固定される箱アセンブリが示されている。
【００３５】
図２７には棚１５に固定突起１５ａを形成して第１収納部１の固定溝１１ａに嵌め込まれる構造が示されており、図２８には第１収納部１に深い固定溝１１ａと相対的に浅い固定溝１１ｂが４辺にそれぞれ形成され、固定溝１１ａ、１１ｂに２個の棚１５が２階に積層されうる構造が示されている。収納部１の各辺に形成される固定溝の個数によって棚１５の積層個数を調節することができる。
【００３６】
第４実施形態と第６実施形態では４角形の箱に対して説明したが、三角形あるいは多角形と、円形、楕円形などのその他の形状の箱に適用することができる事はもちろんである。
【図面の簡単な説明】
【００３７】
【図１】本発明による第１実施形態を説明するための分解斜視図である。
【図２】図１に示された箱アセンブリが結合された状態を示した図である。
【図３】本発明による第２実施形態を説明するための分解斜視図である。
【図４】図３に示された箱アセンブリが結合された状態を示した図である。
【図５】本発明による第３実施形態を説明するための分解斜視図である。
【図６】図５に示された箱アセンブリが結合された状態を示した図面である。
【図７】本発明のさらに他の実施形態を説明するための図である
【図８】本発明のさらに他の実施形態を説明するための図である。
【図９】本発明のさらに他の実施形態を説明するための図である。
【図１０】本発明のさらに他の実施形態を説明するための図である。
【図１１】本発明のさらに他の実施形態を説明するための図である。
【図１２】本発明のさらに他の実施形態を説明するための図である。
【図１３】本発明のさらに他の実施形態を説明するための図である。
【図１４】本発明のさらに他の実施形態を説明するための図である。
【図１５】本発明のさらに他の実施形態を説明するための図である。
【図１６】本発明のさらに他の実施形態を説明するための図である。
【図１７】本発明のさらに他の実施形態を説明するための図である。
【図１８】本発明のさらに他の実施形態を説明するための図である。
【図１９】本発明のさらに他の実施形態を説明するための図である。
【図２０】本発明のさらに他の実施形態を説明するための図である。
【図２１】本発明のさらに他の実施形態を説明するための図である。
【図２２】本発明のさらに他の実施形態を説明するための図である。
【図２３】本発明による第４実施形態を説明するための分解斜視図である。
【図２４】本発明による第５実施形態を説明するための分解斜視図である。
【図２５】本発明による第６実施形態を説明するための分解斜視図である。
【図２６】本発明による第６実施形態を説明するための分解斜視図である。
【図２７】本発明による第６実施形態を説明するための分解斜視図である。
【図２８】本発明による第６実施形態を説明するための分解斜視図である。
【符号の説明】
【００３８】
１、３、５  収納部
７  蓋
９  トレー
９ａ、１１ａ、３１ａ、５１ａ  固定溝
１５  棚
１７  支持フレーム
【図１】
2004161379.tif 000003
【図２】
2004161379.tif 000004
【図３】
2004161379.tif 000005
【図４】
2004161379.tif 000006
【図５】
2004161379.tif 000007
【図６】
2004161379.tif 000008
【図７】
2004161379.tif 000009
【図８】
2004161379.tif 000010
【図９】
2004161379.tif 000011
【図１０】
2004161379.tif 000012
【図１１】
2004161379.tif 000013
【図１２】
2004161379.tif 000014
【図１３】
2004161379.tif 000015
【図１４】
2004161379.tif 000016
【図１５】
2004161379.tif 000017
【図１６】
2004161379.tif 000018
【図１７】
2004161379.tif 000019
【図１８】
2004161379.tif 000020
【図１９】
2004161379.tif 000021
【図２０】
2004161379.tif 000022
【図２１】
2004161379.tif 000023
【図２２】
2004161379.tif 000024
【図２３】
2004161379.tif 000025
【図２４】
2004161379.tif 000026
【図２５】
2004161379.tif 000027
【図２６】
2004161379.tif 000028
【図２７】
2004161379.tif 000029
【図２８】
2004161379.tif 000030